【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ウェブベースプラットフォームのためのサービス品質(QoS)を実施するための方法であって、
呼確立段階においてワイヤレスネットワークを介して、サーバと第1のユーザ機器(UE)との間で1つまたは複数のシグナリングメッセージを交換し、前記第1のUEと第2のUEとの間にブラウザ間呼を確立するステップと、
前記ブラウザ間呼を発呼するときに、または前記ブラウザ間呼を確立する要求を受信するときに、保証済みQoSレベルを構成し、保証済みQoSレベルを有効にするための、1つまたは複数のQoS要件を、前記ウェブベースプラットフォームにおけるアプリケーションプログラムインターフェースによって規定するステップと、
前記1つまたは複数のQoS要件に基づいて、前記呼確立段階中に、前記第1のUEと前記第2のUEの間に前記ブラウザ間呼のための保証済みQoSレベルを構成するステップと、
前記サーバと少なくとも前記第1のUEとの間に前記ブラウザ間呼のためのピア接続を確立するステップと、
前記ブラウザ間呼に関連付けられる1つまたは複数のQoS要件に従って、前記サーバと前記第1のUEとの間の前記ピア接続を確立することに応答して、前記ブラウザ間呼のための前記構成された保証済みQoSレベルを有効にするステップであって、前記サーバは、前記サーバと前記第1のUEとの間に確立された少なくとも前記ピア接続を介して前記第1のUEと前記第2のUEとの間で前記ブラウザ間呼に関連付けられるデータをルーティングし、前記保証済みQoSレベルを実施する、有効にするステップとを含む、方法。
【請求項２】
ウェブベースプラットフォームのためのサービス品質(QoS)を実施するための方法であって、
ワイヤレスネットワークを介して、サーバと第1のユーザ機器(UE)との間で1つまたは複数のシグナリングメッセージを交換し、前記第1のUEと第2のUEとの間にブラウザ間呼を確立するステップと、
前記ウェブベースプラットフォームによって、前記第1のUE上の常駐ソフトウェアに、前記ブラウザ間呼のためのネットワークによって割り当てられたIPフロー上でデータ活動があるか否かの指示と、前記ブラウザ間呼のためのQoS要件の指示とを通信するステップと、
各指示を受信することに応答して、前記第1のUEおよび前記第2のUEの間の前記ブラウザ間呼のための保証済みQoSレベルを、前記常駐ソフトウェアによって構成するステップと、
前記サーバと少なくとも前記第1のUEとの間に前記ブラウザ間呼のためのピア接続を確立するステップと、
前記ブラウザ間呼に関連付けられる前記QoS要件に従って、前記サーバと前記第1のUEとの間の前記ピア接続を確立することに応答して、前記ブラウザ間呼のための前記構成された保証済みQoSレベルを有効にするステップであって、前記サーバは、前記サーバと前記第1のUEとの間に確立された少なくとも前記ピア接続を介して前記第1のUEと前記第2のUEとの間で前記ブラウザ間呼に関連付けられるデータをルーティングし、前記保証済みQoSレベルを実施する、有効にするステップとを含む、方法。
【請求項３】
前記サーバはさらに、前記ワイヤレスネットワーク内のインフラストラクチャと通信し、前記ワイヤレスネットワーク内の負荷に関係なく、前記ブラウザ間呼中に前記QoSレベルを保証する、請求項1または2に記載の方法。
【請求項４】
前記サーバは、前記保証済みQoSレベルを構成するために前記第1のUEで確立された前記ピア接続に関連付けられる少なくともQoSクラス識別子(QCI)と、IPアドレスと、ポートとを提供する、請求項1または2に記載の方法。
【請求項５】
前記サーバは、リアルタイムトランスポートプロトコル(RTP)またはセキュアRTP(S-RTP)のうちの1つまたは複数を用いて、前記ブラウザ間呼に関連付けられる前記データをルーティングする、請求項1または2に記載の方法。
【請求項６】
前記第1のUEがウェブソケットインターフェースを介して前記ブラウザ間呼を開始するのに応答して、前記1つまたは複数のシグナリングメッセージを交換するために用いられるシグナリングIPポートのための前記保証済みQoSレベルを有効にするステップをさらに含む、請求項1または2に記載の方法。
【請求項７】
前記第1のUEは、前記第2のUEとの前記ブラウザ間呼を開始すること、または前記第2のUEとの前記ブラウザ間呼を確立する要求を受信することのうちの1つまたは複数に応答して、前記ブラウザ間呼のための前記保証済みQoSレベルを構成するための前記1つまたは複数の要件を規定する、請求項1または2に記載の方法。
【請求項８】
前記第1のUEは、前記ウェブベースプラットフォームでの初期化に応答して、前記ブラウザ間呼のための前記保証済みQoSレベルを構成するための前記1つまたは複数の要件を規定する、請求項1または2に記載の方法。
【請求項９】
前記ウェブベースプラットフォームはWebRTCを含む、請求項1または2に記載の方法。
【請求項１０】
前記ワイヤレスネットワークはセルラーネットワークまたはWi-Fiネットワークのうちの1つまたは複数を含む、請求項1または2に記載の方法。
【請求項１１】
ウェブベースプラットフォームのためのサービス品質(QoS)を実施するための装置であって、
呼確立段階においてワイヤレスネットワークを介してサーバと第1のユーザ機器(UE)との間で1つまたは複数のシグナリングメッセージを交換し、前記第1のUEと第2のUEとの間にブラウザ間呼を確立するための手段と、
前記ブラウザ間呼を発呼するときに、または前記ブラウザ間呼を確立する要求を受信するときに、保証済みQoSレベルを構成し、保証済みQoSレベルを有効にするための、1つまたは複数のQoS要件を、前記ウェブベースプラットフォームにおけるアプリケーションプログラムインターフェースによって規定するための手段と、
前記1つまたは複数のQoS要件に基づいて、前記呼確立段階中に、前記第1のUEと前記第2のUEの間に前記ブラウザ間呼のための保証済みQoSレベルを構成するための手段と、
前記サーバと少なくとも前記第1のUEとの間に前記ブラウザ間呼のためのピア接続を確立するための手段と、
前記ブラウザ間呼に関連付けられる前記1つまたは複数のQoS要件に従って、前記サーバと前記第1のUEとの間の前記ピア接続を確立することに応答して、前記ブラウザ間呼のための前記構成された保証済みQoSレベルを有効にするための手段であって、前記サーバは、前記サーバと前記第1のUEとの間に確立された少なくとも前記ピア接続を介して前記第1のUEと前記第2のUEとの間で前記ブラウザ間呼に関連付けられるデータをルーティングし、前記保証済みQoSレベルを実施する、有効にするための手段とを備える、装置。
【請求項１２】
ウェブベースプラットフォームのためのサービス品質(QoS)を実施するための装置であって、
ワイヤレスネットワークを介してサーバと第1のユーザ機器(UE)との間で1つまたは複数のシグナリングメッセージを交換し、前記第1のUEと第2のUEとの間にブラウザ間呼を確立するための手段と、
前記ウェブベースプラットフォームによって、前記第1のUE上の常駐ソフトウェアに、前記ブラウザ間呼のためのネットワークによって割り当てられたIPフロー上でデータ活動があるか否かの指示と、前記ブラウザ間呼に関連付けられるQoS要件の指示とを通信するための手段と、
各指示を受信することに応答して、前記第1のUEおよび前記第2のUEの間の前記ブラウザ間呼のための保証済みQoSレベルを、前記常駐ソフトウェアによって構成するための手段と、
前記サーバと少なくとも前記第1のUEとの間に前記ブラウザ間呼のためのピア接続を確立するための手段と、
前記ブラウザ間呼に関連付けられる前記QoS要件に従って、前記サーバと前記第1のUEとの間の前記ピア接続を確立することに応答して、前記ブラウザ間呼のための前記構成された保証済みQoSレベルを有効にするための手段であって、前記サーバは、前記サーバと前記第1のUEとの間に確立された少なくとも前記ピア接続を介して前記第1のUEと前記第2のUEとの間で前記ブラウザ間呼に関連付けられるデータをルーティングし、前記保証済みQoSレベルを実施する、有効にするための手段とを備える、装置。
【請求項１３】
前記ウェブベースプラットフォームはWebRTCを含む、請求項11または12に記載の装置。
【請求項１４】
前記装置は前記第1のUEを備える、請求項11または12に記載の装置。
【請求項１５】
コンピュータ上で実行されるとき、請求項1乃至10のいずれか一項に記載の方法を実行するためのコンピュータ実行可能命令を記憶したコンピュータ可読記憶媒体。